(57)【特許請求の範囲】
【請求項１】
水性原液と液化ガスとからなるエアゾール組成物であって、
前記水性原液がたんぱく質と界面活性剤とを含有し、
前記たんぱく質が、水性原液中に２〜１０重量％含有され、
前記水性原液と前記液化ガスとの配合比が５０／５０〜１０／９０（重量比）であり、
噴射物が柔軟なシャーベット状になるエアゾール組成物。
【請求項２】
前記たんぱく質が、ゼラチンである請求項１記載のエアゾール組成物。
【発明の詳細な説明】
【技術分野】
【０００１】
本発明は、エアゾール組成物に関する。さらに詳しくは、たんぱく質と界面活性剤とを含有する水性原液と、液化ガスとからなるエアゾール組成物に関する。
【背景技術】
【０００２】
特許文献１には、塗布後のべたつき感が少ない、噴射時シャーベット状をなすエアゾール組成物の技術が開示されている。
【０００３】
特許文献２には、塗布時のべたつき感を抑え、さらさら感を有するエアゾール組成物であって、肌に対して適した冷却温度が持続すると共に、顔へも適用可能なエアゾール組成物の技術が開示されている。
【０００４】
特許文献３には、噴射内容物がシャーベット状に氷結する粉末配合エアゾール組成物をハンカチまたはコットンに吹き付け、吹き付け部を肌に押し当てることにより、制汗および冷感を付与する方法が開示されている。
【０００５】
【特許文献１】特開平１１−５７１５号公報
【特許文献２】特開２００２−１１４６３３号公報
【特許文献３】特開２００２−１１４６５９号公報
【発明の開示】
【発明が解決しようとする課題】
【０００６】
特許文献１〜３の技術は、噴射物が薄く固い平面的なシャーベット状を呈するため、柔軟性が悪く、皮膚の熱により容易に割れて剥がれ落ちる、または流れ落ちるといった問題があり、たとえば関節などの曲面部分には、適用できないという問題がある。
【０００７】
本発明のエアゾール組成物は、上記従来の問題に鑑みてなされたものであり、噴射物が柔軟なシャーベット状になり、皮膚への付着性に優れ、関節などの曲面部への適用が可能で、長時間付着して塗布部を持続して冷却させるエアゾール組成物を得ることを目的としている。
【課題を解決するための手段】
【０００８】
本発明にかかわるエアゾール組成物は、水性原液と液化ガスとからなるエアゾール組成物であって、前記水性原液がたんぱく質と界面活性剤とを含有し、前記たんぱく質が水性原液中に２〜１０重量％含有され、前記水性原液と前記液化ガスとの配合比が５０／５０〜１０／９０（重量比）であることを特徴としている。
【０００９】
前記たんぱく質が、ゼラチンであることが好ましい。
【発明の効果】
【００１０】
本発明にかかわるエアゾール組成物により、皮膚などに噴射すると、噴射物が柔軟なシャーベット状になり、皮膚への付着性に優れ、関節などの曲面部への適用が可能で、長時間付着して塗布部を持続して冷却させることが可能である。
【発明を実施するための最良の形態】
【００１１】
本発明のエアゾール組成物は、水性原液と液化ガスとからなるエアゾール組成物であって、前記水性原液がたんぱく質と界面活性剤とを含有し、前記たんぱく質が水性原液中に２〜１０重量％含有され、前記水性原液と前記液化ガスとの配合比が５０／５０〜１０／９０（重量比）である。
【００１２】
なお、本発明において、前記たんぱく質は、たんぱく質加水分解物を含む概念である。
【００１３】
前記たんぱく質は、液化ガスの気化熱により冷却されて柔軟なシャーベットを形成し患部に長時間付着して冷却すると共に、適度な接着性を付与して、関節などの曲面部に塗布した際にも加えられる外力に対して噴射物を割れにくくし、塗布部から剥がれたり流れ落ちにくくする、などの効果を得る目的で用いられる。
【００１４】
前記たんぱく質の代表例としては、たとえばコラーゲン加水分解物、カチオン化加水分解コラーゲン、ヤシ油脂肪酸加水分解コラーゲン、ケラチン、ケラチン加水分解物、カチオン化加水分解ケラチン、エラスチン、エラスチン加水分解物、カゼイン、カゼインナトリウム、カゼイン加水分解物、ゼラチン、ゼラチン加水分解物、その他大豆タンパク、小麦タンパク、グルテリン、ホエー粉末、フィブロイン、グルカゴン、卵白、非熱凝固卵白、卵白リゾチーム、アルブミンフィブリノーゲン、ヘモグロビン、グロブリンおよびこれらの加水分解物などがあげられ、これらは単独でまたは２種以上を混合して用いることができる。これらたんぱく質やたんぱく質加水分解物およびそれらの誘導体のなかでは、とくに噴射物が柔軟なシャーベット状になりやすく、皮膚への接着性に優れることから、ゼラチンおよびゼラチン加水分解物が好ましい。
【００１５】
前記たんぱく質の配合量は、水性原液中２〜１０重量％、さらには３〜８重量％であることが好ましい。たんぱく質の配合量が２重量％よりも少ない場合は噴射物が柔軟なシャーベット状になりにくく、また、接着性が不充分になる傾向があり、１０重量％よりも多い場合は水性原液の粘度が高くなりすぎ液化ガスと混ざりにくく乳化が困難になり、乳化したとしてもエアゾール組成物の粘度が高くなるためスプレー状に噴射できなくなる。また、粘着性が高くなりすぎ、べたつくなど使用感が悪くなる傾向がある。
【００１６】
前記界面活性剤は、エアゾール容器内で水性原液と液化ガスとを乳化させる、前記たんぱく質と相まって、液化ガスの気化熱を噴射物に伝わりやすくして柔軟なシャーベットを形成しやすくする、などの目的で配合される。
【００１７】
前記界面活性剤としては、たとえば、モノヤシ油脂肪酸ＰＯＥソルビタン、モノステアリン酸ＰＯＥソルビタン、モノオレイン酸ＰＯＥソルビタンなどのポリオキシエチレンソルビタン脂肪酸エステル；ＰＯＥ・ＰＯＰセチルエーテル、ＰＯＥ・ＰＯＰデシルテトラデシルエーテルなどのポリオキシエチレンポリオキシプロピレンアルキルエーテル；モノステアリン酸ＰＯＥグリセリルなどのポリオキシエチレングリセリン脂肪酸エステル；ＰＯＥラノリンアルコールなどのポリオキシエチレンラノリンアルコール；ＰＯＥ硬化ヒマシ油などのポリオキシエチレン硬化ヒマシ油；ＰＯＥセチルエーテル、ＰＯＥステアリルエーテル、ＰＯＥオレイルエーテル、ＰＯＥラウリルエーテル、ＰＯＥベヘニルエーテル、ＰＯＥオクチルドデシルエーテル、ＰＯＥイソセチルエーテル、ＰＯＥイソステアリルエーテルなどのポリオキシエチレンアルキルエーテル；モノステアリン酸ポリエチレングリコールなどのポリエチレングリコール脂肪酸エステル、モノラウリン酸ヘキサグリセリル、モノミリスチン酸ヘキサグリセリル、モノラウリン酸ペンタグリセリル、モノミリスチン酸ペンタグリセリル、モノオレイン酸ペンタグリセリル、モノステアリン酸ペンタグリセリル、モノラウリン酸デカグルセリル、モノミリスチン酸デカグリセリル、モノステアリン酸デカグリセリル、モノイソステアリン酸デカグリセリル、モノオレイン酸デカグリセリル、モノリノール酸デカグリセリルなどのポリグリセリン脂肪酸エステル；モノオレイン酸ＰＯＥグリセリルなどのポリオキシエチレングリセリン脂肪酸エステル；モノパルミチン酸ＰＯＥソルビタン、モノステアリン酸ＰＯＥソルビタン、モノイソステアリン酸ＰＯＥソルビタン、モノオレイン酸ＰＯＥソルビタンなどのポリオキシエチレンソルビタン脂肪酸エステル；モノラウリン酸ＰＯＥソルビット、テトラステアリン酸ＰＯＥソルビット、テトラオレイン酸ＰＯＥソルビットなどのポリオキシエチレンソルビット脂肪酸エステル；などのＨＬＢが１０〜１９、好ましくは１１〜１８であるものがあげられる。ＨＬＢが１０よりも小さい場合は、液化ガスが連続相になりやすく噴射物がシャーベット状になりにくく、ＨＬＢが１９よりも大きい場合は液化ガスを乳化しにくくなる傾向がある。
【００１８】
前記界面活性剤の配合量は、水性原液中０．０１〜１０重量％、さらには０．１〜８重量％であることが好ましい。界面活性剤の配合量が０．０１重量％よりも少ない場合は、水性原液と液化ガスとが乳化しにくくなり、噴射物がシャーベット状になりにくく、１０重量％よりも多い場合は皮膚上で残りやすくなり使用感が低下する。
【００１９】
前記たんぱく質と界面活性剤を溶解する溶媒は水であり、水性原液の水性成分を構成する。またエアゾール容器内部では液化ガスと乳化し、噴射されると液化ガスの気化熱により冷却されてシャーベット状となる。
【００２０】
前記水としては、たとえば、精製水、イオン交換水、生理食塩水、海洋深層水などがあげられる。
【００２１】
前記水の配合量は、水性原液中５０〜９７重量％、さらには６０〜９５重量％であることが好ましい。水の配合量が５０重量％よりも少ない場合は液化ガスと乳化しにくく、噴射物がシャーベット状になりにくく、９７重量％よりも多い場合はたんぱく質を必要量配合しにくくなり噴射物が柔軟なシャーベット状になりにくい。
【００２２】
本発明に用いられる水性原液は、用途や目的などに応じて有効成分、アルコール類、たんぱく質以外の水溶性高分子、油分、粉体などを配合することができる。
【００２３】
前記有効成分としては、たとえば、クロタミトン、ｄ−カンフルなどの鎮痒剤、サリチル酸メチル、インドメタシン、ピロキシカム、フェルビナク、ケトプロフェンなどの消炎鎮痛剤；オキシコナゾール、クロトリマゾール、スルコナゾール、ビフォナゾール、ミコナゾール、イソコナゾール、エコナゾール、チオコナゾール、ブテナフィン、およびこれらの塩酸塩、硝酸塩、酢酸塩などの塩、などの抗真菌剤；酸化亜鉛、アラントインヒドロキシアルミニウム、タンニン酸、クエン酸、乳酸などの収斂剤；アラントイン、グリシルレチン酸、グリチルリチン酸ジカリウム、アズレンなどの抗炎症剤；塩酸ジブカイン、塩酸テトラカイン、リドカイン、塩酸リドカインなどの局所麻酔剤；ジフェンヒドラミン、塩酸ジフェンヒドラミン、マレイン酸クロルフェニラミンなどの抗ヒスタミン剤；パラオキシ安息香酸エステル、安息香酸ナトリウム、ソルビン酸カリウム、フェノキシエタノール、塩化ベンザルコニウム、塩化ベンゼトニウム、塩化クロルヘキシジン、感光素、パラクロルメタクレゾールなどの殺菌消毒剤；ｌ−メントール、カンフルなどの清涼剤；エチレングリコール、ジエチレングリコール、プロピレングリコール、グリセリン、１，３−ブチレングリコール、コラーゲン、キシリトール、ソルビトール、ヒアルロン酸、カロニン酸、乳酸ナトリウム、ｄｌ−ピロリドンカルボン酸塩、ケラチン、カゼイン、レシチン、尿素などの保湿剤；ラウリル酸メタクリレート、安息香酸メチル、フェニル酢酸メチル、ゲラニルクロトレート、ミリスチン酸アセトフェノン、酢酸ベンジル、プロピオン酸ベンジルなどの消臭剤；Ｎ，Ｎ−ジエチル−ｍ−トルアミド（ディート）、カプリル酸ジエチルアミドなどの害虫忌避剤；グリシン、アラニン、ロイシン、セリン、トリプトファン、シスチン、システイン、メチオニン、アスパラギン酸、グルタミン酸、アルギニンなどのアミノ酸；ジエチルアミノヒドロキシベンゾイル安息香酸ヘキシル、パラメトキシケイ皮酸２−エチルヘキシル、エチルヘキシルトリアゾン、オキシベンゾン、ヒドロキシベンゾフェノンスルホン酸、ジヒドロキシベンゾフェノンスルホン酸ナトリウム、ジヒドロキシベンゾフェノンなどの紫外線吸収剤；酸化亜鉛、酸化チタン、オクチルトリメトキシシラン被覆酸化チタンなどの紫外線散乱剤；レチノール、酢酸レチノール、パルミチン酸レチノール、パントテン酸カルシウム、アスコルビン酸、アスコルビン酸ナトリウム、ｄｌ−α−トコフェロール、酢酸トコフェロール、トコフェロール、ニコチン酸トコフェロール、ジベンゾイルチアミン、リボフラビンおよびこれらの混合物などのビタミン類；アスコルビン酸、α−トコフェロール、ジブチルヒドロキシトルエン、ブチルヒドロキシアニソールなどの酸化防止剤；シャクヤクエキス、ヘチマエキス、バラエキス、レモンエキス、アロエエキス、ショウブ根エキス、ユーカリエキス、セージエキス、茶エキス、海藻エキス、プラセンタエキス、シルク抽出液などの抽出液；アルブチン、コウジ酸などの美白剤；天然香料、合成香料などの各種香料；などがあげられる。
【００２４】
前記有効成分の配合量は、水性原液中０．０５〜２０重量％、好ましくは０．１〜１５重量％配合される。有効成分の配合量が０．０５重量％よりも少ない場合は、有効成分の効果が充分に発揮できない傾向があり、２０重量％よりも多い場合は、有効成分濃度が高くなりすぎ、有効成分によっては人体へ悪影響を及ぼす場合がある。
【００２５】
前記アルコール類は、使用感を向上させるだけでなく、水に溶解しにくい有効成分を溶解するための溶媒として、また噴射したときの拡がりやすさや凍りやすさを調整してシャーベットの盛り上がり（立体感）を調整するなどの目的で用いられる。
【００２６】
前記アルコール類としては、たとえば、エタノール、イソプロパノールなどの炭素数が２〜３個の１価アルコール、エチレングリコール、プロピレングリコール、１，３−ブチレングリコール、ジエチレングリコール、ジプロピレングリコール、グリセリンなどの２〜３価のポリオール、などがあげられる。
【００２７】
前記アルコール類を配合する場合の配合量は、水性原液中１〜３０重量％であることが好ましく、さらには３〜２５重量％であることが好ましい。前記アルコール類の配合量が１重量％よりも少ない場合は前述の効果が得られにくく、３０重量％を超える場合は水性原液と液化ガスとが乳化しにくく、噴射物が凍りにくくなってシャーベット状になりにくくなる。
【００２８】
前記たんぱく質以外の水溶性高分子は、水性原液の粘度を調整する、噴射物の固さを調整する、などの目的で用いられる。
【００２９】
前記たんぱく質以外の水溶性高分子としては、ヒドロキシエチルセルロース、ヒドロキシプロピルセルロース、ヒドロキシプロピルメチルセルロース、カルボキシメチルセルロースナトリウム、ニトロセルロース、結晶セルロースなどのセルロース系高分子；キサンタンガム、カラギーナン、アラビアゴム、トラガントゴム、カチオン化グアガム、グアガム、ジェランガム、ローカストビーンガムなどのガム質；デキストラン、カルボキシメチルデキストランナトリウム、デキストリン、ペクチン、デンプン、トウモロコシデンプン、コムギデンプン、アルギン酸ナトリウム、変性ポテトスターチ、ヒアルロン酸ナトリウム、ポリビニルアルコール、ポリビニルピロリドン、カルボキシビニルポリマーなどの水溶性高分子；などがあげられる。
【００３０】
前記たんぱく質以外の水溶性高分子は、水性原液中に０．０５〜１０重量％含有され、０．１〜５重量％含有することが好ましい。水溶性高分子の含有量が０．０５重量％未満の場合は、前述の効果が得られにくく、１０重量％を超える場合は水性原液の粘度が高くなりすぎ、液化ガスと乳化するときに手間がかかり、さらに使用感が低下する。
【００３１】
前記油分は、水性原液と液化ガスとの乳化状態を調整する、皮膚への接着性を調整するなど噴射物の状態を調整する、などの目的で用いられる。
【００３２】
前記油分としては、たとえば、流動パラフィン、スクワレン、スクワラン、イソパラフィンなどの炭化水素油；アジピン酸ジイソプロピル、ミリスチン酸イソプロピル、パルミチン酸イソプロピル、オクタン酸セチル、ミリスチン酸オクチルドデシル、ステアリン酸ブチル、ミリスチン酸ミリスチル、オレイン酸デシル、乳酸セチル、ステアリン酸イソセチル、セトステアリルアルコール、アジピン酸ジイソブチル、セバシン酸ジイソプロピル、コハク酸ジエトキシエチル、リンゴ酸ジイソステアリルなどのエステル油；メチルポリシロキサン、オクタメチルシクロテトラシロキサン、デカメチルシクロペンタシロキサン、ドデカメチルシクロヘキサシロキサン、メチルシクロポリシロキサン、テトラヒドロテトラメチルシクロテトラシロキサン、オクタメチルトリシロキサン、デカメチルテトラシロキサン、メチルハイドロジェンポリシロキサン、メチルフェニルポリシロキサンなどのシリコーンオイル；ラウリン酸、ミリスチン酸、パルミチン酸、ステアリン酸、ベヘニン酸、オレイン酸、イソステアリン酸などの脂肪酸；ラウリルアルコール、ミリスチルアルコール、セチルアルコール、ステアリルアルコール、ベヘニルアルコール、ラノリンアルコールなどの高級アルコール；アボガド油、マカダミアナッツ油、シア脂、オリーブ油、ツバキ油などの油脂；ミツロウ、ラノリンロウなどのロウ類；などがあげられる。
【００３３】
前記油分の配合量は、水性原液中１〜２０重量％、さらには３〜１５重量％であることが好ましい。油分の配合量が１重量％よりも少ない場合は、油分を配合する効果が得られにくく、２０重量％よりも多い場合は乾燥性が悪くなるなど、使用感が低下する。
【００３４】
前記粉体は、水性原液と液化ガスとを乳化しやすくする、乳化安定性を向上させるなど、乳化補助剤として用いられる。また、粉体自体が有効成分として作用したり、他の有効成分を担持する担体、付着剤などとしても用いられる。
【００３５】
前記粉体としては、たとえば、タルク、酸化亜鉛、カオリン、雲母、炭酸マグネシウム、炭酸カルシウム、ケイ酸亜鉛、ケイ酸マグネシウム、ケイ酸アルミニウム、ケイ酸カルシウム、シリカ、ゼオライト、セラミックパウダー、窒化ホウ素などがあげられる。
【００３６】
前記粉体の配合量は、水性原液中０．１〜５重量％、さらには０．３〜３重量％であることが好ましい。粉体の配合量が０．１重量％よりも少ない場合は、粉体を配合する効果が得られにくく、５重量％よりも多い場合はバルブや吐出部材の吐出孔で詰まりやすくなる。また静置した状態で長期間保存した場合、粉体が容器底部で固まりやすくなり（ケーキング）、均一な組成物を吐出し難くなる。
【００３７】
本発明に用いられる水性原液は、たんぱく質、界面活性剤、必要に応じて配合される有効成分などを水やアルコール類に溶解させて調製する。なお、水性原液は、必要に応じて油成分を乳化させたり、粉体を分散させてもよい。
【００３８】
前記液化ガスは、エアゾール容器内では液体であり、水性原液と乳化して乳化物を形成する。大気中に噴射されると気化し、気化熱により噴射物を冷却して柔軟なシャーベット状にする。
【００３９】
前記液化ガスとしては、たとえば、プロパン、ノルマルブタン、イソブタンおよびこれらの混合物である液化石油ガス、ジメチルエーテル、前記液化石油ガスとジメチルエーテルの混合物などがあげられる。
【００４０】
前記液化ガスのうち、水性原液と乳化しやすく安定性に優れており、噴射物が柔軟なシャーベット状になりやすい点から、液化石油ガスを液化ガス中に６０重量％以上、さらには７０重量％以上含有するものを用いることが好ましい。
【００４１】
本発明のエアゾール組成物は、たとえば、耐圧容器に水性原液を充填し、次いで液化ガスをアンダーカップ充填などで充填したのちバルブを固着し、エアゾール容器を振とうして水性原液と液化ガスとを乳化させることにより調製することができる。
【００４２】
前記水性原液と液化ガスとの配合比（重量比）は５０／５０〜１０／９０であり、４５／５５〜１５／８５であることが好ましい。配合比が５０／５０よりも大きい場合は、すなわち、液化ガスの配合量がエアゾール組成物中５０重量％よりも少ない場合は、液化ガスの冷却能力が不充分であり、噴射物がシャーベット状になりにくく、また、配合比が１０／９０よりも小さい場合、すなわち、液化ガスの配合量が９０重量％よりも多い場合は液化ガスを乳化しにくく、乳化が不安定になりやすい。
【００４３】
なおエアゾール組成物の圧力を調整するために、加圧剤として炭酸ガス、チッ素ガス、圧縮空気、酸素ガスなどの圧縮ガスを用いることができる。
【００４４】
本発明のエアゾール組成物は噴射物が柔軟なシャーベット状になり、皮膚に接着するのに適した粘着性を有するため、やけど治療薬、消炎鎮痛剤、鎮痒剤、皮膚保護剤、抗真菌剤、制汗剤、収斂剤、ほてり止めなど、皮膚に付着させる製品に好適に用いることができる。
【００４５】
以下、実施例によって本発明をより具体的に説明するが、本発明はこれらに限定されるものではない。
【００４６】
評価方法を下記に示す。
１）乳化
水性原液と液化ガスを充填した透明な耐圧容器（ポリエチレンテレフタレート製）を上下に振り、水性原液と液化ガスが乳化するのを目視観察し、それに要した回数を下記の水準に基づき評価した。
○：２０回以内に乳化した。
△：２０〜３０回で乳化した。
×：３０回振っても乳化しない。
【００４７】
２）噴射状態
得られたエアゾール組成物を２５℃の恒温水槽中に１時間浸漬し、人工皮革に噴射したときの噴射状態を下記の水準に基づき評価した。
○１：スプレー状に噴射することができ、噴射物は指で押しても割れない柔軟で立体的なシャーベットを形成した。
○２：スプレー状に噴射することができ、噴射物は指で押しても割れない柔軟で平面的なシャーベットを形成した。
×１：スプレー状に噴射することができたが、噴射物は指で押すと割れる固いシャーベットを形成した。
×２：スプレー状に噴射することができたが、噴射物は発泡しシャーベットにならなかった。
×３：水性原液と液化ガスが分離した状態で噴射された。
×４：スプレー状に拡がらなかった。
【００４８】
３）噴射物の付着性
垂直に立てた人工皮革に噴射して、剥がれ落ちるまたは流れ落ちるまでの時間を測定した。
○：３分以上保持することができた。
△：保持時間が１分以上３分未満であった。
×：保持時間が１分未満であった。
【実施例】
【００４９】
実施例１
下記の水性原液を調製し、水性原液２５ｇをアルミニウム製耐圧容器に充填した。アンダーカップ充填により液化石油ガス（＊１）７５ｇを充填し、耐圧容器の開口部にエアゾールバルブをクリンプした。次いでエアゾール容器を上下に振り、水性原液と液化石油ガスとを乳化させてエアゾール組成物を製造した。なお、エアゾールバルブはステム孔がφ０．４、ハウジングのアンダータップがφ１．５、ベーパータップがφ０．３であるものを用い、噴射部材は噴射孔がφ１．１であるものを用いた。評価結果を表１に示す。
【００５０】
＜水性原液＞
ゼラチン                                                ５．０
ｌ−メントール                                          ０．３
ＰＯＥ（２０）ＰＯＰ（８）セチルエーテル（＊２）        １．０
メチルパラベン                                          ０．１
９５％エタノール                                        ２．５
タルク                                                  １．０
精製水                                                ９０．１          
合  計                                              １００．０（重量％）
【００５１】
＜エアゾール組成物＞
水性原液／液化石油ガス（＊１）＝２５／７５（重量比）
＊１：イソブタンとノルマルブタンの混合物、２０℃での蒸気圧が０．１５（ＭＰａ）
＊２：ＮＩＫＫＯＬ  ＰＢＣ−４４（商品名）、ＨＬＢ１２．５、日光ケミカルズ社製
【００５２】
実施例２
ゼラチンの配合割合を７％、精製水の配合割合を８８．１％にしたほかは、実施例１と同じ配合で調製し、エアゾール組成物を製造した。評価結果を表１に示す。
【００５３】
実施例３
ゼラチンの配合割合を３％、精製水の配合割合を９２．１％にしたほかは、実施例１と同じ配合で調製し、エアゾール組成物を製造した。評価結果を表１に示す。
【００５４】
実施例４
水性原液を２０ｇ、液化石油ガス（＊１）８０ｇ充填したほかは、実施例１と同じ配合で調製し、エアゾール組成物を製造した。評価結果を表１に示す。
【００５５】
実施例５
水性原液を３０ｇ、液化石油ガス（＊１）７０ｇ充填したほかは、実施例１と同じ配合で調製し、エアゾール組成物を製造した。評価結果を表１に示す。
【００５６】
実施例６
水性原液を４０ｇ、液化石油ガス（＊１）６０ｇ充填したほかは、実施例１と同じ配合で調製し、エアゾール組成物を製造した。評価結果を表１に示す。
【００５７】
実施例７
エタノールを配合せず、精製水の配合割合を９２．６％にしたほかは、実施例１と同じ配合で調製し、エアゾール組成物を製造した。評価結果を表１に示す。
【００５８】
比較例１
ゼラチンを配合せず、精製水の配合割合を９５．１％にしたほかは、実施例１と同じ配合で調製し、エアゾール組成物を製造した。評価結果を表１に示す。
【００５９】
比較例２
ゼラチンの配合割合を１％、精製水の配合割合を９４．１％にしたほかは、実施例１と同じ配合で調製し、エアゾール組成物を製造した。評価結果を表１に示す。
【００６０】
比較例３
ゼラチンの配合割合を１２％、精製水の配合割合を８３．１％にしたほかは、実施例１と同じ配合で調製し、エアゾール組成物を製造した。評価結果を表１に示す。
【００６１】
比較例４
ゼラチンの代わりにヒドロキシエチルセルロース（＊３）を１％、精製水の配合割合を９４．１％にしたほかは、実施例１と同じ配合で調製し、エアゾール組成物を製造した。評価結果を表１に示す。
＊３：ＨＥＣ  ＳＥ８５０（商品名）、ダイセル化学工業社製
【００６２】
比較例５
ゼラチンの代わりにキサンタンガム（＊４）を１％、精製水の配合割合を９４．１％にしたほかは、実施例１と同じ配合で調製し、エアゾール組成物を製造した。評価結果を表１に示す。
＊４：エコーガム（商品名）、大日本製薬社製
【００６３】
比較例６
ゼラチンの代わりにカルボキシビニルポリマー（＊５）を０．１％、トリエタノールアミンを０．１％、精製水を９４．９％配合したほかは、実施例１と同じ配合で調製し、エアゾール組成物を製造した。評価結果を表１に示す。
＊５：カーボポール９４０（商品名）、ＢＦ  Ｇｏｏｄｒｉｃｈ社製
【００６４】
比較例７
水性原液を５ｇ、液化石油ガス（＊１）９５ｇ充填したほかは、実施例１と同じ配合で調製し、エアゾール組成物を製造した。評価結果を表１に示す。
【００６５】
比較例８
水性原液を６０ｇ、液化石油ガス（＊１）４０ｇ充填したほかは、実施例１と同じ配合で調製し、エアゾール組成物を製造した。評価結果を表１に示す。
【００６６】
【表１】
0005507818.tif 000002
【００６７】
表１に示されるように、本願発明のエアゾール組成物（実施例１〜６）はスプレー状に噴射することができ、噴射物は立体的なシャーベット状になって付着した。また噴射物は弾力を有し柔軟なシャーベットであり、粘着性を有するため付着性に優れている。また、実施例７はスプレー状に噴射することができ、噴射物は平面的なシャーベット状になって付着した。また噴射物は柔軟性を有し、粘着性を有するため付着性に優れている。一方、ゼラチンの配合量が２％以下である比較例１と２は固いシャーベットになり、柔軟性がなく指で押すと割れた。ゼラチンの配合量が１０％以上である比較例３は水性原液と液化ガスとが乳化しにくく、噴射してもスプレー状にならなかった。また、ゼラチン以外の水溶性高分子を使用し、水性原液の粘度を実施例１と同程度にした比較例４〜６は、いずれも柔軟なシャーベットにはならなかった。水性原液と液化ガスの配合比が１０／９０よりも小さい比較例７は、水性原液と液化ガスとが乳化しにくく分離した状態で噴射された。水性原液と液化ガスの配合比が５０／５０よりも大きい比較例８は、発泡してシャーベット状にならなかった。
【００６８】
以下、添付図面に沿って本願発明のエアゾール組成物を説明する。
【００６９】
図１は、本発明のエアゾール組成物の実施例１におけるエアゾール組成物の噴射状態の経時変化を説明するための説明図であり、図１（ａ）は噴射直後、図１（ｂ）は噴射１分後の噴射物の状態、図１（ｃ）は、３分後の噴射物の状態である。図２は、本発明のエアゾール組成物の実施例１におけるエアゾール組成物の噴射物の付着性を説明するための説明図であり、図２（ａ）は、噴射直後の状態、図２（ｂ）は、指で押圧する様子の説明図、図２（ｃ）は、押圧後の状態を説明する説明図である。図３は、比較例１におけるエアゾール組成物の噴射状態の経時変化を説明するための説明図であり、図３（ａ）は、噴射直後、図３（ｂ）は、噴射１分後の状態である。図４は、比較例１におけるエアゾール組成物の噴射物の付着性を説明するための説明図であり、図４（ａ）は、噴射直後、図４（ｂ）は、指で押圧する様子の説明図、図４（ｃ）は、押圧後の状態を説明する説明図である。
【００７０】
噴射物の状態について、図１（ａ）〜（ｃ）に示されるように、実施例１のエアゾール組成物の噴射物１は、噴射後も形状が変化することなく、噴射直後の形状を維持していた。一方、図３（ａ）、図３（ｂ）に示されるように、比較例１のエアゾール組成物の噴射物２は、噴射直後より形状を維持することができず、下方向へ流れ始め、噴射１分後には大幅に流れ落ちた。
【００７１】
次に、噴射物の付着性について、図２（ａ）〜（ｃ）に示されるように、実施例１のエアゾール組成物の噴射物１（押圧するために平坦部１ａに対して突出部１ｂを形成するよう噴射）について、指で突出部１ｂを押圧したとき（図２（ｂ）参照）、突出部１ｂは形状が破壊されること無く形状が曲げられた。また、押圧後（図２（ｃ）参照）は、形状が回復した（図２（ｃ）参照）。一方、図４（ａ）〜（ｃ）に示されるように、比較例１のエアゾール組成物の噴射物２は、指で押圧したとき（図４（ｂ）参照）、比較例１のエアゾール組成物の噴射物２は弾力性を有さないため、ヒビ３を生じた。また、押圧後は（図４（ｃ）参照）、ヒビ３は回復せず、形状が破壊されたままであった。
【００７２】
次に処方例を示す。
【００７３】
処方例１（やけど治療薬）
下記の原液を調製し、原液３０ｇをアルミニウム製耐圧容器に充填した。アンダーカップ充填により液化石油ガス７０ｇを充填し、耐圧容器の開口部にエアゾールバルブをクリンプした。次いでエアゾール容器を上下に振り、原液と液化石油ガスとを乳化させてエアゾール組成物を製造した。
【００７４】
＜原液＞
ゼラチン                                              ５．０
ブフェキサマック                                      ０．２
リドカイン                                            ０．１
アクリノール                                          ０．１
ＰＯＥ（２０）ＰＯＰ（８）セチルエーテル（＊２）      １．５
酸化亜鉛                                              ３．０
タルク                                                １．０
メチルパラベン                                        ０．１
精製水                                              ８９．０            
合  計                                            １００．００（重量％）
【００７５】
＜エアゾール組成物＞
原液／液化石油ガス（＊１）＝３０／７０（重量比）
【００７６】
処方例２（かゆみどめ）
下記の原液を使用した以外は処方例１と同様にして、エアゾール組成物を製造した。
【００７７】
＜原液＞
ゼラチン                              ５．０
尿素                                １０．０
塩酸ジフェンヒドラミン                １．０
グリチルリチン酸ジカリウム            ０．５
酢酸トコフェロール                    ０．５
メチルパラベン                        ０．１
エタノール                          １０．０
製水                                ７２．９          
合  計                            １００．０（重量％）
【００７８】
＜エアゾール組成物＞
原液／液化石油ガス（＊１）＝３０／７０（重量比）
【００７９】
処方例３（消炎鎮痛剤）
下記の原液を使用した以外は処方例１と同様にして、エアゾール組成物を製造した。
【００８０】
＜原液＞
ゼラチン                              ５．０
フェルビナク                          １．０
ｌ−メントール                        ０．５
エタノール                            ５．０
トリエタノールアミン                  １．０
精製水                              ８７．５          
合  計                            １００．０（重量％）
【００８１】
＜エアゾール組成物＞
原液／液化石油ガス（＊１）＝３０／７０（重量比）
【００８２】
以上、本発明のエアゾール組成物によれば、皮膚などに噴射すると、噴射物が柔軟なシャーベット状になり、皮膚への付着性に優れ、関節などの曲面部への適用が可能で、長時間付着して塗布部を持続して冷却させることが可能なエアゾール組成物を得ることができる。噴射物が立体的なシャーベットを形成する場合は、皮膚からの熱が伝わりにくく、長時間シャーベットの状態を維持することができる。噴射物が平面的なシャーベットを形成する場合は、曲面部であっても剥がれにくく付着性に優れる。
【図面の簡単な説明】
【００８３】
【図１】本発明のエアゾール組成物の実施例１におけるエアゾール組成物の噴射状態の経時変化を説明するための説明図である。
【図２】本発明のエアゾール組成物の実施例１におけるエアゾール組成物の噴射物の付着性を説明するための説明図である。
【図３】比較例１におけるエアゾール組成物の噴射状態の経時変化を説明するための説明図である。
【図４】比較例１におけるエアゾール組成物の噴射物の付着性を説明するための説明図である。
【符号の説明】
【００８４】
１、２  噴射物
１ａ  平坦部
１ｂ  突出部
３  ヒビ
【図１】
0005507818.tif 000003
【図２】
0005507818.tif 000004
【図３】
0005507818.tif 000005
【図４】
0005507818.tif 000006